(57)【特許請求の範囲】
【請求項１】
光学素子とフレームとを具備しており、光学素子をフレームに固定する光学素子固定機構において、
光学素子に設けられている突起部と、
光学素子を挟み込む形状に折り曲げられた板から成り、この光学素子の突起部を一方から支持し、フレームに結合されている中間部材と、
フレームに設けられており、前記突起部を他方から支持している突起支持部と、
フレームに設けられており、前記光学素子を挟みこんでいる部分の中間部材を外側から挟み込み、中間部材と前記フレームの突起支持部とによる前記光学素子の突起部の支持が保たれるようにする中間部材保持部と、
を具備していることを特徴とする光学素子固定機構。
【請求項２】
前記フレームの前記中間部材保持部には、中間部材を光学素子に向かって押している押圧手段が設けられていることを特徴とする請求項１に記載の光学素子固定機構。
【請求項３】
前記光学素子の突起部は、光学素子位置決め部を備えており、前記フレームの突起支持部は、フレーム位置決め部を備えており、この光学素子位置決め部とフレーム位置決め部とは、相互に協働して相互間の相対位置を決めていることを特徴とする請求項１乃至２いずれか１項に記載の光学素子固定機構。
【請求項４】
光学素子の光学的に作用する表面に対向している光透過部材をさらに備えており、中間部材は、この光透過部材を保持している光透過部材保持手段を備えていることを特徴とする請求項１乃至３いずれか１項に記載の光学素子固定機構。
【請求項５】
前記中間部材と光学素子とを覆う被覆部材をさらに具備しており、この被覆部材は、光学素子の光学的に作用する表面上に光開口が設けられている弾性材料から構成されていることを特徴とする請求項１乃至４いずれか１項に記載の光学素子固定機構。
【請求項６】
前記被覆部材は、前記被覆部材の光開口の周囲に、光を透過する弾性材料から構成されているファインダ部を備えていることを特徴とする請求項５に記載の光学素子固定機構。
【発明の詳細な説明】
【０００１】
【発明の属する技術分野】
本発明は、光学素子固定機構に関する。
【０００２】
【従来の技術】
従来から、例えば携帯型のカメラや、頭部に装着されて小型の液晶画像を表示する頭部装着型画像表示装置のような、小さい体積を要求される光学機器に光学素子を固定する光学素子固定機構が知られている。
【０００３】
従来の光学素子固定機構は、図１０に示されているように、光学素子を光学機器に設置されているフレーム２０にビスを用いて固定するような構成である。図１０では光学素子としてプリズム２１が示されており、このプリズム２１の光学的に作用しない両側面にビス孔２２ａと位置決めピン２２ｂを有する鍔２２が設けられている。位置決めピン２２ｂをこれに対応するフレーム２０に設けられた位置決め穴２０ａに勘合し、ビス２３をプリズム２１のビス孔２２ａに挿通してフレーム２０に設けられたタップ２０ｂに螺合することにより、プリズム２１はフレーム２０に固定される。
【０００４】
また、別の従来の光学素子固定機構は、図１１に示されているように、薄板をＬ字型に折り曲げて構成された中間部材３０を利用して、光学素子の光学的に作用しない上下の面に形成された突起を保持するような構成である。固定は以下のように行われる。先ず、光学素子であるプリズム３１の突起３２に設けられた置決めピン３２ａをフレーム３３に設けられた位置決め穴３３ａに勘合させ、突起３２の勘合された面と反対側の面に中間部材３０のＬ字の一方の腕３０ａを当接させる。次に、Ｌ字の他方の腕３０ｂが突起３２からフレーム３３に架かるように突起３２上面及びフレーム３３上面の上に位置させ、フレーム３３上面の上に位置する中間部材３０をビス３４を用いてフレーム３３に結合する。
【０００５】
【発明が解決しようとする課題】
しかしながら、図１０に示したような固定機構では、ビスの締め付けにより光学素子に応力がかかり歪みが生じるので、光学性能が劣化する。また、応力が大きい場合には光学素子が破損する。
【０００６】
また、ビスが挿通される鍔の高さｙ１（光学素子から鍔が突出している方向の寸法）は、少なくともビスの頭の直径程度（典型的には３〜４ｍｍ）が必要とされ、固定機構の高さｙ２の最小値が規定されるので、機構の小型化が制限される。
【０００７】
また、図１１に示したような固定機構は、光学素子が中間部材とフレームとで挟持されるような構成であるので、光学素子に応力がかからない。また、突起の高さは比較的低くてもよく、図１０の固定機構と比較して固定機構の高さｙ３を小さくできるので、機構を小型化できる。しかしながら、光学素子の挟持の一部分は小型化に貢献する薄い板により担われているので、光学素子に振動や衝撃等の外力が加わった場合に中間部材が塑性変形して光学素子の位置ずれが生じることがある。
【０００８】
従って、本発明の目的は、光学素子を固定するために必要な空間を小さくすることができるとともに、応力を加えることなく光学素子を強固に固定することができる光学素子固定機構を提供することである。
【０００９】
【課題を解決するための手段】
上記目的を達成するために、本発明の請求項１に係わる光学素子固定機構では、光学素子とフレームとを具備しており、光学素子をフレームに固定する光学素子固定機構において、
光学素子に設けられている突起部と、
光学素子を挟み込む形状に折り曲げられた板から成り、この光学素子の突起部を一方から支持し、フレームに結合されている中間部材と、
フレームに設けられており、前記突起部を他方から支持している突起支持部と、
フレームに設けられており、前記光学素子を挟みこんでいる部分の中間部材を外側から挟み込み、中間部材と前記フレームの突起支持部とによる前記光学素子の突起部の支持が保たれるようにする中間部材保持部とを具備していることを特徴としている。
【００１０】
このように構成することにより、図１０のようにビス孔を有する大きな突出物を光学素子に設けることがないので、固定するために必要な空間を小さくすることができる。
【００１１】
また、光学素子の突起部がフレームの突起支持部と中間部材とで支持されていることを利用して光学素子がフレームに固定されているので、応力を加えることなく光学素子を固定することができる。
【００１２】
また、光学素子固定機構が、フレームに設けられており、中間部材を保持している中間部材保持部を具備していることにより、光学素子に外力が加わった場合に中間部材が塑性変形することを防止できるので、光学素子の強固な固定を達成することができる。
【００１５】
本発明の請求項２に係わる光学素子固定機構では、前記フレームの中間部材保持部には、中間部材を光学素子に向かって押している押圧手段が設けられていることを特徴としている。
【００１６】
このように構成することにより、ビスで押された中間部材が光学素子に押し当てられるので、がたつきがなくより確実な固定が保証される。また、ビスが直接的に光学素子を押すような構成ではなく、光学素子に応力の集中を生じさせないので、光学素子の光学性能を劣化させない。
【００１７】
本発明の請求項３に係わる光学素子固定機構では、前記光学素子の突起部は、光学素子位置決め部を備えており、前記フレームの突起支持部は、フレーム位置決め部を備えており、この光学素子位置決め部とフレーム位置決め部とは、相互に協働して相互間の相対位置を決めていることを特徴としている。
【００１８】
このように構成することにより、光学素子がフレームに正確に置決めされて固定される。
【００１９】
本発明の請求項４に係わる光学素子固定機構では、光学素子の光学的に作用する表面に対向している光透過部材をさらに備えており、中間部材は、この光透過部材を保持している光透過部材保持手段を備えていることを特徴としている。
【００２０】
このように構成することにより、光学素子を保護することができる。
【００２１】
本発明の請求項５に係わる光学素子固定機構では、前記中間部材と光学素子とを覆う被覆部材をさらに具備しており、この被覆部材は、光学素子の光学的に作用する表面上に光開口が設けられている弾性材料から構成されていることを特徴としている。
【００２２】
このように構成することにより、光学機器の使用者が直接的に光学素子の突起部等の固定機構から突出した部分に触れることがない。
【００２３】
本発明の請求項６に係わる光学素子固定機構では、前記被覆部材は、前記被覆部材の光開口の周囲に、光を透過する弾性材料から構成されているファインダ部を備えていることを特徴としている。
【００２４】
光学機器の使用者が眼前に光学素子を位置させて光学機器を使用する場合、このように構成することにより、使用者の眼球が直接的に光学素子に接触することがない。また、ファインダ部は光を透過する材料から構成されているので、固定機構により遮られる視界を小さくすることができる。
【００２５】
【発明の実施の形態】
図１ないし図９を参照して、本発明の実施の形態に係わる光学素子固定機構を説明する。先ず、図１及び図２を参照して本発明の第１の実施の形態の光学素子固定機構を説明する。尚、ここにおいて、図１は光学素子固定機構の構成を示す分解斜視図、図２は光学素子固定機構の縦断面図である。
【００２６】
光学素子として用いられるプリズム１は中間部材２を介してフレーム３に固定されている。プリズム１が固定されているフレーム３を光学機器に取り付けることにより、プリズム１が光学機器に置決めされ固定される。
【００２７】
前記プリズム１は略３角柱形状で構成されており、３つの側面１ａ，１ｂ，１ｃを有する。プリズム１を利用する光束は側面１ａから入射し、側面１ｂで反射されて側面１ｃから出射する。プリズム１には、位置決め用の第１の突起部１ｄと、凸部１ｅが形成された同位置決め用の第２の突起部１ｆとが、その上面および下面にそれぞれ突設されている。第１，第２の突起部の高さは約１ｍｍ程度である。
【００２８】
前記中間部材２は、前記突起部の高さと比較して薄い板を折り曲げて構成されており、前記プリズム１の上面および下面を略覆う形状に形成されているとともに、前記第１の突起部１ｄと第２の突起部１ｆとをフレーム３に当接させて位置決めを行うための２つの曲げ部２ａ，２ｂを上下に夫々有する。
【００２９】
さらに、この中間部材２には、プリズム１に入射する光束を通過させるための窓部２ｃと、フレーム３に固定するための上下側方のビス孔２ｄ，２ｅ，２ｆとが形成されている。
【００３０】
前記フレーム３は、略箱状の部材でなり、前記中間部材２の上下側面のビス孔２ｄ，２ｅ，２ｆに対応する位置に形成された３つのビス孔３ａ，３ｂ，３ｃと、前記２つの曲げ部２ａ，２ｂの間に挿通して位置決めを行う、厚さが１ｍｍ程度の上下の中間部材保持部３ｄと、これらの中間部材保持部３ｄに設けられている上下方向に貫通しているタップ孔３ｅと、前記プリズム１の第１の突起部１ｄに当接して位置決めを行う第１の端面３ｆと、このプリズム１の第２の突起部１ｆに当接して位置決めを行う第２の端面３ｇと、第２の突起部１ｆに形成された凸部１ｅと嵌合して位置決めを行うための凹部３ｈと、プリズム１に入射する光束を通過させるための窓枠部３ｉが形成されている。
【００３１】
このような構成において、プリズム１を組み付けて固定する際には、プリズム１に中間部材２を取り付けて、プリズム１の第１，第２の突起部１ｄ，１ｆを中間部材２の曲げ部２ａ，２ｂに当接させるように組み合わせ、さらに、中間部材２の外部側からフレーム３を組み付けて、中間部材保持部３ｄを中間部材上に位置させるとともに曲げ部２ａ，２ｂの間に挿通し、フレーム３の凹部３ｈにプリズム１の第２の突起部１ｆの凸部１ｅを嵌め込み、第１，第２の突起部１ｄ，１ｆを中間部材２の曲げ部２ａ，２ｂとフレーム３の第１及び第２の端面３ｆ，３ｇとで挟み込むようにする。
【００３２】
これによりプリズム１は、中間部材２により上下の面を挟み込まれて上下方向に位置決めされ、この面内においては、中間部材２の曲げ部２ａ，２ｂとフレーム３の第１及び第２の端面３ｆ，３ｇとで第１，第２の突起部１ｄ，１ｆが挟み込まれることにより一方向に位置決めされ、これと交差する方向には第２の突起部１ｆの凸部１ｅとフレーム３の第２の端面３ｇに形成された凹部３ｈとの嵌合により位置決めされるために、空間的な配置が完全に決定される。
【００３３】
その後、フレーム３のビス孔３ａ，３ｂ，３ｃと中間部材２のビス孔２ｄ，２ｅ，２ｆとに共通してビス３ｊ，３ｋ，３ｌを締結することにより、これらが一体的に固定される。さらに、いもビス３ｎをタップ孔３ｅにねじ込むことにより、中間部材２がプリズム１に押し当てられている。
【００３４】
以上詳述した如く構成されている本発明の第１の実施の形態に従った光学素子固定機構においては、３ｍｍ〜４ｍｍの高さ寸法を必要とするビス孔を有する突出物がプリズムに形成されている代わりに、約１ｍｍ程度の高さの突起部が形成されており、図２に示されているように、固定機構の高さは突起部を含めたプリズムの高さと同程度であり、固定機構の高さとプリズムの高さとの差は、僅か２ｍｍ程度であるので、固定するために必要な空間を小さくすることができる。
【００３５】
次に、図３を参照して本発明の第２の実施の形態の光学素子固定機構を説明する。ここにおいて、図３は本実施の形態の光学素子固定機構の構成を示す分解斜視図である。
【００３６】
本実施の形態の構成の大部分は、基本的に第１の実施の形態の構成の大部分と同じである。尚、以下の実施の形態において、第１の実施の形態の図１及び図２を参照して説明した構成部材と実質的に同一の構成部材は、第１の実施の形態の対応する構成部材を指示していた参照符号と同じ参照符号を付して詳細な説明を省略する。
【００３７】
本実施の形態の構成が第１の実施の形態の構成と異なる点は、光学素子の構成である。光学素子として用いられているプリズム組立体５は、第１の実施の形態と同じものである第１のプリズム１とこのプリズム１の側面１ｄに接着されている第２のプリズム４とからなる。中間部材及びフレームとして第１の実施の形態と同じものが用いられている。中間部材２とフレーム３とは第１のプリズム１のみを保持して固定しており、第２のプリズム４はプリズム１との接着により保持されている。１ａから入射した第１の光束は１ｄで反射して１ｃから出射する。
４ａから入射した第２の光束は１ｄを透過して１ｃから出射する。
【００３８】
以上詳述した如く構成されている本発明の第２の実施の形態に従った光学素子固定機構においては、光学素子から僅かに突出した突出物を形成されていれば光学素子を固定することができるので、複数の光学素子を組み合わせたものやその他、より複雑な光学素子を固定することができる。
【００３９】
次に、図４を参照して本発明の第３の実施の形態の光学素子固定機構を説明する。ここにおいて、図４は本実施の形態の光学素子固定機構の構成を示す分解斜視図である。
【００４０】
本実施の形態の構成の大部分は、基本的に第２の実施の形態の構成の大部分と同じである。尚、以下の実施の形態において、第２の実施の形態の図３を参照して説明した構成部材と実質的に同一の構成部材は、第２の実施の形態の対応する構成部材を指示していた参照符号と同じ参照符号を付して詳細な説明を省略する。
【００４１】
本実施の形態の構成が第２の実施の形態の構成と異なる点は、第２の実施の形態では、第２の突起部１ｆに凸部１ｅが設けられており、第２の端面３ｇに凹部３ｈが設けられているけれども、本実施の形態では、第２の突起部１ｆ’に凹部１ｅ’が設けられており、第２の端面３ｇ’に凸部３ｈ’が設けられていることである。
【００４２】
以上詳述した如く構成されている本発明の第３の実施の形態に従った光学素子固定機構を用いても光学素子を正確に置決めして固定することができる。
【００４３】
次に、図５を参照して本発明の第４の実施の形態の光学素子固定機構を説明する。ここにおいて、図５は本実施の形態の光学素子固定機構の構成を示す分解斜視図である。
【００４４】
本実施の形態の構成の大部分は、基本的に第２の実施の形態の構成の大部分と同じである。尚、以下の実施の形態において、第２の実施の形態の図３を参照して説明した構成部材と実質的に同一の構成部材は、第２の実施の形態の対応する構成部材を指示していた参照符号と同じ参照符号を付して詳細な説明を省略する。
【００４５】
本実施の形態の構成が第２の実施の形態の構成と異なる点は、中間部材の構成である。本実施の形態の中間部材６は、第２の実施の形態の中間部材２の窓部２ｃと同じ窓部６ｃを有している。この窓部６ｃの上下の端面からは、上下に対向して配され、光を遮るための遮光板６ｄ，６ｅが、プリズム組立体５の上下の面に沿って延びており、これらの延びる先は折り曲げられて重ねられてる。この遮光板６ｄの窓部６ｃに近い側には、第２の実施の形態の中間部材２の２つの曲げ部２ａ，２ｂと同じ２つの曲げ部６ａ，６ｂが形成されている。ビス孔は第２の実施の形態のものと同じものが形成されている。
【００４６】
プリズム組立体５を中間部材６に取り付ける際には、上下の遮光板６ａ，６ｂを弾性変形させて曲げ部を上下に押し広げて、プリズム組立体５の上下の面とフレーム３と反対側の側面が覆われるように、中間部材６にプリズム組立体５を挿入する。その後、第１の実施の形態で行われたように固定機構を組み立てる。
【００４７】
以上詳述した如く構成されている本発明の第４の実施の形態に従った光学素子固定機構においては、遮光板を備えていることにより、光学素子に入射する不必要な光を遮断できる。
【００４８】
次に、図６を参照して本発明の第５の実施の形態の光学素子固定機構を説明する。ここにおいて、図６は本実施の形態の光学素子固定機構の構成を示す分解斜視図である。
【００４９】
本実施の形態の構成の大部分は、基本的に第４の実施の形態の構成の大部分と同じである。尚、以下の実施の形態において、第４の実施の形態の図５を参照して説明した構成部材と実質的に同一の構成部材は、第４の実施の形態の対応する構成部材を指示していた参照符号と同じ参照符号を付して詳細な説明を省略する。
【００５０】
本実施の形態の構成が第４の実施の形態の構成と異なる点は、中間部材の構成である。本実施の形態の中間部材７は、フレーム３に対向し、プリズム組立体５のフレーム３と反対側の側面を覆うための被覆側面７ｆを有している。この被覆側面７ｆの上下の端面からは、上下に対向して配され、光を遮るための遮光板７ｄ，７ｅがフレーム３に向かって延びている。遮光板７ｄ，７ｅのフレーム３に近い側には第４の実施の形態の曲げ部及びビス孔と同じものが形成されている。被覆側面７ｆの側方の端面からは、プリズム組立体５のプリズム１の側面１ｃを外部から覗くことができる窓部７ｇが形成された枠部７ｈが、フレーム３に向かって延びている。この枠部７ｈには、第４の実施の形態のビス孔と同じものが形成されている。
【００５１】
プリズム組立体５を中間部材７に取り付ける際には、上下の遮光板７ａ，７ｂを弾性変形させて曲げ部を上下に押し広げて、プリズム組立体５の上下の面とフレーム３と反対側の側面が覆われるように、プリズム組立体５を挿入する。その後、第１の実施の形態で行われたように固定機構を組み立てる。
【００５２】
以上詳述した如く構成されている本発明の第５の実施の形態に従った光学素子固定機構においては、遮光板を備えていることにより、光学素子に入射する不必要な光を遮断できる。
【００５３】
また、本実施の形態における中間部材７の曲げ部と遮光板が接合している被覆側面との距離は、第４の実施の形態における中間部材６の曲げ部と遮光板が接合している窓部との距離より大きいので、本実施の形態の固定機構は第４の実施の形態の固定機構と比較して、曲げ部を上下に押し広げて光学素子を中間部材に取り付ける際に遮光板を押し広げるために大きい力を必要としない。
【００５４】
次に、図７を参照して本発明の第６の実施の形態の光学素子固定機構を説明する。ここにおいて、図７は本実施の形態の光学素子固定機構の構成を示す分解斜視図である。
【００５５】
本実施の形態の構成の大部分は、基本的に第５の実施の形態の構成の大部分と同じである。尚、以下の実施の形態において、第５の実施の形態の図６を参照して説明した構成部材と実質的に同一の構成部材は、第５の実施の形態の対応する構成部材を指示していた参照符号と同じ参照符号を付して詳細な説明を省略する。
【００５６】
本実施の形態の構成が第５の実施の形態の構成と異なる点は、ハードコート処理が施された光透過部材８ａ，８ｂをさらに有していること及び、本実施の形態の中間部材９がこれらの光透過部材８ａ，８ｂを保持するためのガイド部９ｉ，９ｊとをさらに有していることである。光透過部材８ａ，８ｂは、プリズム組立体５を構成する第１のプリズム１の側面１ｃ及び第２のプリズム４の側面４ａに夫々対向して配置されている。本実施の形態の中間部材９の構成の大部分は、基本的に第５の実施の形態の中間部材７の構成の大部分と同じである。中間部材９の構成が中間部材７の構成と異なる点は、中間部材７の枠部７ｈに対応する枠部９ｈにガイド部９ｉが形成されていること及び、中間部材７の被覆側面７ｆに対応する被覆側面９ｆから枠部７ｈに対向して延びている枠部９ｋをさらに有しており、この枠部９ｋにガイド部９ｊが形成されていることである。ガイド部９ｉ，９ｊは、枠部９ｈ，９ｋの上下の端面を折り曲げて形成されている。枠部９ｋには、プリズム組立体５のプリズム４の側面４ａを外部から覗くことができる窓部９ｌが形成されている。
【００５７】
以上詳述した如く構成されている本発明の第６の実施の形態に従った光学素子固定機構においては、ハードコート処理が施された光透過部材を有していることにより、光学素子の外部から覗くことができる部分が覆われて露出しないので、光学素子を傷や汚れ等から保護することができる。また、光透過部材に指紋の跡等の汚れが付着した場合でも容易に除去することができる。
【００５８】
本実施の形態で、光透過部材はハードコート処理が施されている材料で構成されているけれども、本発明はこれに限定されるものではなく、例えばＡＲコート処理を施されている材料で構成されていても良く、またハードコートとＡＲコートとの両方の処理を施されていても良い。また、光学素子が樹脂で構成されているときには、光透過部材はＵＶカットフィルタで構成されていても良い。この場合、外部から紫外光が樹脂の光学素子に入射して材料を劣化させることを防止できる。また、カラーフィルタやＮＤフィルタで構成しても良い。
【００５９】
次に、図８を参照して本発明の第７の実施の形態の光学素子固定機構を説明する。ここにおいて、図８は本実施の形態の光学素子固定機構の構成を示す分解斜視図である。
【００６０】
本実施の形態の構成の大部分は、基本的に第６の実施の形態の構成の大部分と同じである。尚、以下の実施の形態において、第６の実施の形態の図７を参照して説明した構成部材と実質的に同一の構成部材は、第６の実施の形態の対応する構成部材を指示していた参照符号と同じ参照符号を付して詳細な説明を省略する。
【００６１】
本実施の形態の構成が第６の実施の形態の構成と異なる点は、中間部材９とプリズム組立体５との外周を覆う被覆部材１０をさらに有していることである。被覆部材１０は、弾性材料から構成されており、プリズム１の側面１ｃ及びプリズム４の側面４ａに対向する部分には夫々開口１０ａ，１０ｂが形成されている。
【００６２】
以上詳述した如く構成されている本発明の第７の実施の形態に従った光学素子固定機構においては、プリズム１の突起部や中間部材９の曲げ部等の突出物が弾性で覆われるので、光学機器の使用者がこれらの突出物に触れることがなく、使用者が、覆われた突出物の角に触れた場合、角のシャープな感覚が低減される。
また、光学素子に加わる衝撃が緩和され、汚れからも保護される。
【００６３】
また、光学素子の光が入射、出射しない面が覆われるので、光学素子の入射する不必要な光を遮断できる。
【００６４】
次に、図９を参照して本発明の第８の実施の形態の光学素子固定機構を説明する。ここにおいて、図９は本実施の形態の光学素子固定機構の構成を示す分解斜視図である。
【００６５】
本実施の形態の構成の大部分は、基本的に第７の実施の形態の構成の大部分と同じである。尚、以下の実施の形態において、第７の実施の形態の図８を参照して説明した構成部材と実質的に同一の構成部材は、第７の実施の形態の対応する構成部材を指示していた参照符号と同じ参照符号を付して詳細な説明を省略する。
【００６６】
本実施の形態の構成が第７の実施の形態の構成と異なる点は、被覆部材１０が光開口１０ａの周囲に、光を透過する弾性材料から構成されているファインダ部１１をさらに有していることである。ファインダ部１１はリング形状を有する。ファインダ部１１の内周は光開口１０ａの周囲を囲むように取り付けられている。ファインダ部１１の外周は、内周が取り付けられた被覆部材１０の面から外側に突出している。使用者は、ファインダ部１１を挟んでプリズム１の側面１ｃに対して使用者の眼を対峙させ、側面１ｃから出射する光束により運ばれてくる画像を観察する。
【００６７】
以上詳述した如く構成されている本発明の第８の実施の形態に従った光学素子固定機構においては、眼と固定機構との間に弾性材料により構成された柔軟なファインダ部があることにより、固定機構が眼に接近しても、ファインダ部が眼の周囲の骨に柔軟に当接するので、眼が直接的に固定機構に接触することを防止できる。
【００６８】
また、固定機構を眼の近傍に位置させて別の対象物を観察するときに、ファインダ部がこの対象物と重なって視界に含まれる場合、ファインダ部が光を透過する材料から構成されているので、このような場合でも固定機構により遮られる視界を小さくすることができ、比較的広い視界を確保できる。
【００６９】
尚、本発明は上述した実施の形態に限定されるものではなく、発明の趣旨を逸脱しない範囲内において種々の変形や応用が可能であることは勿論である。
【００７０】
【発明の効果】
以上詳述したことから明らかなように、本発明に従った光学素子固定機構においては、光学素子を固定するために必要な空間を小さくすることができるとともに、応力を加えることなく光学素子を強固に固定することができる。
【図面の簡単な説明】
【図１】図１は、本発明の第１の実施の形態の光学素子固定機構の構成を示す分解斜視図である。
【図２】図２は、本発明の第１の実施の形態の光学素子固定機構の縦断面図である。
【図３】図３は、本発明の第２の実施の形態の光学素子固定機構の構成を示す分解斜視図である。
【図４】図４は、本発明の第３の実施の形態の光学素子固定機構の構成を示す分解斜視図である。
【図５】図５は、本発明の第４の実施の形態の光学素子固定機構の構成を示す分解斜視図である。
【図６】図６は、本発明の第５の実施の形態の光学素子固定機構の構成を示す分解斜視図である。
【図７】図７は、本発明の第６の実施の形態の光学素子固定機構の構成を示す分解斜視図である。
【図８】図８は、本発明の第７の実施の形態の光学素子固定機構の構成を示す分解斜視図である。
【図９】図９は、本発明の第８の実施の形態の光学素子固定機構の構成を示す分解斜視図である。
【図１０】図１０は、従来の光学素子固定機構の構成を示す分解斜視図である。
【図１１】図１１は、別の従来の光学素子固定機構の構成を示す分解斜視図である。
【符号の説明】
１  第１のプリズム
１ｄ  第１の突起部
１ｅ  凸部
１ｆ  第２の突起部
３  フレーム
３ｄ  中間部材保持部
３ｅ  タップ孔
３ｆ  第１の端面
３ｇ  第２の端面
３ｈ  凹部
４  第２のプリズム
５  プリズム組立体
８ａ  光透過部材
８ｂ  光透過部材
９  中間部材
１０  被覆部材
１０ａ  光開口
１１  ファインダ部
【図１】
0004601133.tif 000002
【図２】
0004601133.tif 000003
【図３】
0004601133.tif 000004
【図４】
0004601133.tif 000005
【図５】
0004601133.tif 000006
【図６】
0004601133.tif 000007
【図７】
0004601133.tif 000008
【図８】
0004601133.tif 000009
【図９】
0004601133.tif 000010
【図１０】
0004601133.tif 000011
【図１１】
0004601133.tif 000012